(57)【特許請求の範囲】
【請求項１】
１人の入浴者が腰掛け得るシート部が内側に設けられた可動浴槽部を有し、上記可動浴槽部底部に車輪を設けて移動可能とし、この可動浴槽部の一端に形成された開口部を、浴室内に固定された固定部で閉塞することによって、シート部に着座した入浴者が入浴し得る大きさの浴槽が形成される身体障害者用入浴装置であって、
上記シート部に着座した入浴者の体全体が可動浴槽部内に隠れるように、上記浴槽両側部と背部と底部との大部分を可動浴槽部としたことを特徴とする身体障害者用入浴装置。
【請求項２】
上記可動浴槽部と固定部との接合面を、可動浴槽部の下部前縁が上部前縁よりも前方に位置するように、垂直面に対し傾斜させたことを特徴とする請求項１に記載の身体障害者用入浴装置。
【請求項３】
上記シート部が可動浴槽部内で前後にスライド可能に構成されていることを特徴とする請求項１に記載の身体障害者用入浴装置。
【請求項４】
上記浴槽の底部に排水口が形成されるとともに、この排水口を開閉する筒部材を有し、この筒部材が排水口を液密に挿通しているとき、浴槽内の余剰水は、筒部材の上端開口部から筒部材を通って外部へ排水されることを特徴とする請求項１に記載の身体障害者用入浴装置。
【請求項５】
上記固定部は、浴槽の前部を形成する前部側壁と、この前部側壁の両側部にそれぞれ形成されたガイド壁と、を有し、該ガイド壁は、上記可動浴槽部の開口部側の両側部を覆うように、上記可動浴槽部と固定部との接合面よりも可動浴槽部側に張り出していることを特徴とする請求項１に記載の身体障害者用入浴装置。
【発明の詳細な説明】
【０００１】
【発明の属する技術分野】
本発明は、身体障害者を着座姿勢のまま入浴させることができる小型でかつ簡易な身体障害者用入浴装置に関する。
【０００２】
【従来の技術】
身体障害者用の入浴装置としては、一般に、病院や介護施設において用いられる大掛かりな機械駆動式の装置が知られているが、近年、在宅介護のために、一般の家庭においても利用可能な比較的小型の入浴装置が提案されている。
【０００３】
その一例として、実公平６−１２７９１号公報には、入浴者を入浴用車椅子に着座させたまま入浴させる装置が開示されている。これは、図５に示すように、略矩形をなす浴槽１の長手方向の一端部の側壁に、略Ｕ字形に開口部２を形成するとともに、この開口部２を閉塞する平板な扉３を、入浴用車椅子４の背部に固定した構成であって、図６にも示すように、車椅子４のシート部５に入浴者Ｍを座らせた状態で、車椅子４を浴槽１内に押し込むようにすると、入浴者Ｍが浴槽１内に入るとともに、開口部２が扉３によって閉塞されることになる。そして、浴槽１内に温水を給湯することにより、着座姿勢のまま入浴できるのである。
【０００４】
【発明が解決しようとする課題】
しかしながら、上記従来の構成においては、入浴者Ｍの背部に扉３が位置しており、扉３を閉めるためには、入浴者Ｍの体全体が開口部２を通過しなくてはならず、かつ開口部２と扉３との接合部が、入浴者Ｍの体の僅か後方に位置するものとなる。従って、扉３を開口部２にはめ込んで閉める際に、入浴者Ｍの体が開口部２に接触する恐れがあり、入浴者Ｍに不安感を与えてしまうとともに、体の一部、例えば上腕部外側部分が開口部２と扉３との間に挟まれてしまう危険性がある。
【０００５】
また、例えば入浴後に入浴者Ｍを浴槽１から引き出す際に、上記従来のように浴槽１の一端に開口部２が設けられている構成では、車椅子４に着座している入浴者Ｍの足先が開口部２から完全に抜け出るまでの直線移動距離が長く必要である。具体的には、ほぼ浴槽１の長手方向の寸法に等しい距離だけ車椅子４を真っすぐ後退させなければ、足先が開口部２から完全に抜け出ない。従って、浴槽１の開口部２の前に、それだけ大きなスペースが必要である。特に、浴室内で車椅子４を方向転換させるような場合には、上述のように車椅子４を浴槽１から大きく後退させた上で車椅子４を回転させるだけのスペースが必要となり、在宅用として用いることは、実際には困難である。
【０００６】
さらに、車椅子４単独での移動の際、車椅子４に着座した入浴者Ｍの周りを覆うものがないため、入浴者Ｍの体が外部に露出し、この入浴者Ｍに羞恥心を与えてしまう。
【０００７】
【課題を解決するための手段】
そこで本発明は、１人の入浴者が腰掛け得るシート部が内側に設けられた可動浴槽部を有し、上記可動浴槽部底部に車輪を設けて移動可能とし、この可動浴槽部の一端に形成された開口部を、浴室内に固定された固定部で閉塞することによって、シート部に着座した入浴者が入浴し得る大きさの浴槽が形成される身体障害者用入浴装置であって、上記シート部に着座した入浴者の体全体が可動浴槽部内に隠れるように、上記浴槽両側部と背部と底部との大部分を可動浴槽部としたことを特徴としている。
【０００８】
すなわち、本発明の入浴装置においては、シート部に着座した入浴者の体全体が可動浴槽部内に隠れるように、浴槽の大部分を可動浴槽部としたため、入浴者の体全体が可動浴槽部内に収容され、その周囲が可動浴槽部の側壁によって保護される形となる。従って、例えば固定部と可動浴槽部とを接合する際、入浴者の体の一部が固定部と接触する恐れはない。
【０００９】
また、接合部が入浴者よりも前方に位置することから、固定部と可動浴槽部の接合部が入浴者によって視認できる位置となるので、入浴者に不安感を与えることもない。
【００１０】
さらに、入浴者が可動浴槽部内に収容されるため、可動浴槽部を固定部から後方に引くだけで、入浴者が固定部から抜け出ることになり、その状態で方向転換することが可能となる。
【００１１】
そして、可動浴槽部単独の状態でも体が外部から見られにくいので、可動浴槽部に入浴者を乗せて移動する際に、入浴者に羞恥心を与えることが少なくなる。
【００１２】
請求項２では、上記固定部と可動浴槽部との接合面を、可動浴槽部の下部前縁が上部前縁よりも前方に位置するように、垂直面に対し傾斜させている。つまり、浴槽が、着座姿勢の入浴者に対応して、入浴者の足先部分が前方に張り出すこととなる。このため、浴槽内の容積が必要最小限に抑えられ、入浴時に必要な給湯量が削減される。
【００１３】
請求項３では、上記シート部が可動浴槽部内で前後にスライド可能に構成されている。入浴者が着座する際には、シート部を前方へ引き出し、着座後に後退させればよい。
【００１４】
請求項４では、上記浴槽の底部に排水口が形成されるとともに、この排水口を開閉する筒部材を有し、この筒部材が排水口を液密に挿通しているとき、浴槽内の余剰水は、筒部材の上端開口部から筒部材を通って外部へ排水されるようになっている。すなわち筒部材は、排水口を開閉する機能と、浴槽内の余剰水を排水する機能とを有している。
【００１５】
請求項５では、上記固定部は、浴槽の前部を形成する前部側壁と、この前部側壁の両側部にそれぞれ形成されたガイド壁と、を有し、該ガイド壁は、上記可動浴槽部の開口部側の両側部を覆うように、上記可動浴槽部と固定部との接合面よりも可動浴槽部側に張り出している。これによって可動浴槽部が容易かつ正確に固定部側へ案内される。
【００１６】
【発明の実施の形態】
以下、本発明の好ましい実施の形態を図面に基づいて詳細に説明する。
【００１７】
図１〜図４は、本発明に係る身体障害者用入浴装置の一実施例を示している。この入浴装置は、浴室内に固定的に設けられた固定部１０と、１人の入浴者が腰掛け得るシート部１２が内側に設けられた可動浴槽部１４とを有し、可動浴槽部１４は、その底部に設けられた車輪１８によって移動可能となっている。そして可動浴槽部１４の一端に形成された開口部１６を、固定部１０で閉塞することによって、シート部１２に着座した入浴者Ｍが入浴し得る大きさの浴槽２０が形成されるようになっている。
【００１８】
浴槽２０は、図１および図２に示すように、入浴者Ｍの前方に位置する前部側壁２２と、入浴者Ｍの背部に位置する背部側壁２４と、長手方向に沿う一対の側部側壁２６とによって四方が囲まれている。
【００１９】
ここで、浴槽２０の背部側壁２４、側部側壁２６および浴槽２０の底部２８の大部分が、可動浴槽部１４から形成されており、浴槽２０の前部側壁２２のみが、ほぼ固定部１０から形成されている。すなわち、浴槽２０は、その大部分が可動浴槽部１４となっており、固定部１０が占める部分は極めて小さなものとなっている。詳しくは、固定部１０は、可動浴槽部１４の前端開口部１６を覆う扉状部分のみとなっており、湯が溜まる容積となる部分は殆ど存在しない。
【００２０】
固定部１０と可動浴槽部１４との境界となる接合面３０は、図１に明らかなように、可動浴槽部１４の開口部１６の下部前縁１６ａが上部前縁１６ｂよりも前方に位置するように、垂直面に対し傾斜している。
【００２１】
固定部１０は、一端および底面が開放する箱型にＦＲＰによって成形され、内部に金属製のフレーム３４を有し、その下面の４カ所に設けられた固定脚３６によって浴室内に固定的に設置されている。そして固定部１０の開放部分では、上記前部側壁２２と、この前部側壁２２の両側にそれぞれ形成された一対のガイド壁３２とによって、上方から見て略コ字状をなしている。
【００２２】
固定部１０の前部側壁２２を構成する部分の形状は、上記接合面３０よりも入浴者Ｍから見て前方（図１の右方）へ張り出した位置で、上記接合面３０と平行に平板状に形成されている。そして、下部が、入浴者Ｍの足先部分に対応して、入浴者Ｍから見て前方へ広がっているとともに、上部が、入浴者Ｍの手前側へ張り出している。これにより、浴槽２０内の容積ひいては入浴時に必要な給湯量の削減を図っている。
【００２３】
上記ガイド壁３２を含んだ固定部１０の両側部の形状は、それぞれ上方からみて段付形状を呈している。すなわち、入浴者Ｍの手前側となる先端側の内側部分が相対的に薄肉となっており、この部分が可動浴槽部１４を案内するガイド壁３２を構成している。そしてガイド壁３２から内側に折曲して、可動浴槽部１４の開口部１６に接合する係合段部３８が形成されるとともに、係合段部３８の内側から前部側壁２２へと連続しており、この前部側壁２２は、上述したように、接合面３０よりも入浴者Ｍから見て前方側へ張り出している。
【００２４】
各ガイド壁３２は、可動浴槽部１４の開口部１６側の側部側壁２６を覆うように、可動浴槽部１４と固定部１０との接合面３０よりも可動浴槽部１４側に張り出しており、着脱の際に可動浴槽部１４を案内する機能を有している。ガイド壁３２は、その開放側（図１の左側）の縁部が垂直方向に沿っているとともに、他方側が接合面３０に沿って傾斜しており、全体として下方に向かって広がった形状となっている。そして、上記開放側の縁部に向けて薄肉となるようにテーパ３２ａが形成されており、可動浴槽部１４がより容易かつ正確に両ガイド壁３２の間に案内されるようになっている。
【００２５】
係合段部３８は、可動浴槽部１４の開口部１６と接合するように、固定部１０の両側部および底部の三方にわたって形成され、この係合段部３８には、シール部材４０が配設されている。一方、可動浴槽部１４の開口部１６においては、上記側部側壁２６から外側へフック状に張り出した縁部４２が形成され、この縁部４２が上記係合段部３８と接合するようになっている。なお、上記縁部４２は、可動浴槽部１４の開口部１６から側部側壁２６および背部側壁２４の上縁にわたって延長されており、可動浴槽部１４全体の縁飾りとして機能している。
【００２６】
ここで、図２にも示すように、固定部１０内の前部側壁２２内側には、ピストンロッド４８を進退させる２つの油圧シリンダ４６が配設されている。ピストンロッド４８が引かれたとき、リンク５０ａ，５０ｂ，５０ｃを介して可動浴槽部１４の縁部４２が固定部１０の係合段部３８側に押圧され、接合面３０において係合段部３８と縁部４２とが強固に圧接する。
【００２７】
なお、図４にも示すように、リンク５０ｃと係合する縁部４２の裏面側には、金属製の補助係合部材５２がボルト５４によって固定されている。この補助係合部材５２によって、上記リンク５０ｃが垂直面に沿って係合し、油圧シリンダ４６としての所期の特性が得られるようになっている。
【００２８】
固定部１０の上面には、入浴者Ｍから見て手前側に、油圧シリンダ４６を作動する作動ボタン５６が設けられ、この作動ボタン５６より前方側に、１つの給湯部５８が陥没形成されている。作動ボタン５６は、油圧シリンダ４６に接続されており、作動ボタン５６を操作することによって、油圧シリンダ４６が作動または作動解除する。なお、図３では作動ボタン５６を省略している。
【００２９】
給湯部５８は、給湯装置（図示せず）からホース等を介して給湯される温水が溢れることのないように、所定の深さおよび広さに設定されている。なお、給湯部５８の底面は、石鹸等の入浴道具を置くこともできるように、ほぼ水平に形成されている。給湯部５８に給湯された湯水は、一端で給湯部５８の底面に開口する２つの給湯管６０を通って、各給湯管６０の他端側で前部側壁２２に開口する２つの給湯口６２から浴槽２０内に供給される。
【００３０】
固定部１０の底部には、浴槽２０内に溜められた湯水を外部へ排水する筒状の排水口６４が左右２カ所に設けられ、各排水口６４は、筒部材６６によって開閉されるようになっている。各筒部材６６は、前部側壁２２に沿って設けられ、上下２カ所でブラケット６８によって、固定部１０に着脱可能に取り付けられている。
【００３１】
筒部材６６と排水口６４との間が液密にシールされるように、排水口６４の周りには適宜なシール部材（図示せず）が配設されており、各排水口６４内に筒部材６６の下端部が挿通されると、排水口６４と筒部材６６との間が閉塞され、浴槽２０内に湯水が溜められる。そして、浴槽２０内の余剰の湯水は、筒部材６６の上端開口部６６ａから筒部材６６を通って外部に排水される。ここで、筒部材６６の上端開口部６６ａは、着座姿勢の入浴者Ｍが十分につかるように、適宜な高さ位置に設定されている。従って、入浴時に給湯を続けることにより、水面は、所定の高さに保たれる。一方、筒部材６６が排水口６４から外されると、開放する排水口６４から浴槽２０内の湯水が外部に排水される。
【００３２】
要するに筒部材６６は、排水口６４を開閉する栓として機能するとともに、浴槽２０内の余剰水を排水する機能を有している。
【００３３】
なお、固定部１０の底面は、上記排水口６４を形成するだけのわずかなものとなっており、浴槽２０の底部２８は、その大部分が可動浴槽部１４側にある。
【００３４】
可動浴槽部１４は、図４にも示すように、金属製のフレーム７０の上に、ＦＲＰによって一端が開放された略箱型に形成されているもので、左右の側部側壁２６と背部側壁２４とによって上方から見て略コ字状をなすように成形されている。そして、フレーム７０の下面の４カ所に、キャスタ状の車輪１８が設けられており、移動可能となっている。
【００３５】
可動浴槽部１４のフレーム７０の下部には、その両側壁２６に沿って水平に延びる２本の棒状の案内レール７１が固定され、一方、固定部１０のフレーム３４の下端部には、可動浴槽部１４を固定部１０に接合する際に上記案内レール７１が摺接する摺接部７２が合計８カ所に設けられている。
【００３６】
背部側壁２４側のフレーム７０の下部には、車輪１８をロックする介護者用の車輪ロックレバー７３が後方（図１の左方）へ延設され、また、フレーム７０の上部には、介護者用のハンドル７４が設けられている。このハンドル７４は、背部側壁２４から後方（図２の左方）へ延びた縁部４２の切り欠かれた部分４２ａから露出している。
【００３７】
開口部１６と反対側の底部２８には段部７６が形成されており、この段部７６の上方に、入浴者Ｍが腰掛けるためのシート部１２が設けられている。なお、段部７６を形成することによって、浴槽２０内の容積が小さくなり、必要な給湯量の削減が図られている。
【００３８】
シート部１２は、ＦＲＰによって可動浴槽部１４とは別体に構成され、上方から見て略四角形をなしており、その腰掛部７９から背もたれ部８０へと折曲形成されている。背もたれ部８０は、楽に座れるように、僅かに後方に傾斜している。この実施例では、上述した接合面３０の傾斜角度と背もたれ部８０の傾斜角度とは、ほぼ等しいものとなっている。
【００３９】
また、シート部１２の左右両側には、２本のアームレスト８２が旋回可能に取り付けられている。例えば入浴者Ｍの乗り降りの際、アームレスト８２は、図４に想像線で示すように、邪魔にならないように上方に旋回される。シート部１２の下部前端には、合成樹脂製フットレスト８４が回動可能に支持されている。
【００４０】
そして、シート部１２は、図４に想像線で示すように、前後にスライド可能となっている。詳述すると、シート部１２下面の両側には合計６個のローラ８６が回転可能に設けられ、このローラ８６は、可動浴槽部１４の両側壁の内側面に形成された段部８８上を走行する。このとき、アームレスト８２やフットレスト８４も一体に前後に移動する。
【００４１】
また可動浴槽部１４の側部側壁２６には、断面Ｌ字型のレール板９０が、ローラ８６上部を覆うように固定されている。つまり、ローラ８６は、段部８８とレール板９０との間を走行し、入浴者Ｍがローラ８６に手を挟む恐れはない。
【００４２】
またフットレスト８４の左右両側には、介護者用のハンドル９２が設けられ、フットレスト８４の下側には、支持部材９４が設けられ、これらはフットレスト８４と一体に回動する。そして、介護者がハンドル９２をもってフットレスト８４を上方に回動させた状態で、シート部１２をスライドさせることにより、上記スライド時に入浴者Ｍの足が底部２８に干渉することのないようになっている。
【００４３】
以上のように構成された入浴装置においては、入浴者Ｍの体全体が可動浴槽部１４内に収容されるので、入浴者Ｍが不意に体を動かしたような場合でも、入浴者Ｍの体が外部から保護され、例えば固定部１０と可動浴槽部１４とを接合するときでも、その接合部に入浴者Ｍの体を挟む恐れは完全になくなる。
【００４４】
また、固定部１０と可動浴槽部１４との接合面３０が入浴者Ｍの体よりも前方に位置しているため、接合面３０を入浴者Ｍが視認でき、可動浴槽部１４を固定部１０に接合する際に、入浴者Ｍに不安感を与えることがない。
【００４５】
そして、このように着脱時に体を挟む恐れがないことから、浴槽２０の内側の幅寸法を最小限に狭くすることができ、それだけ必要な給湯量を抑制できる。
【００４６】
また、可動浴槽部１４単独の状態でも体が外部から見られにくいので、可動浴槽部１４に入浴者Ｍを乗せて移動する際に、入浴者Ｍに羞恥心を与えることが少なくなる。
【００４７】
また、図１から明らかなように、着座した入浴者Ｍが可動浴槽部１４により覆われるため、例えば、入浴後、可動浴槽部１４を固定部１０から引き出せば、入浴者Ｍの体全体が固定部１０から抜け出ることになり、可動浴槽部１４の方向転換が可能となる。つまり、脱着に必要な可動浴槽部１４の直線移動距離が短くなり、狭い浴室内で可動浴槽部１４の方向を変えつつ入浴者Ｍを移送することができる。
【００４８】
なお、本実施例の可動浴槽部１４は、上記のように固定部１０に接合させて浴槽２０として使用する他、単独使用によるシャワー用車椅子としても機能する。つまり、浴室内に設置されたシャワーの前に可動浴槽部１４を移動するだけで、入浴者Ｍは即座にシャワーを浴びることができる。
【００４９】
なお、上記実施例では固定部１０と可動浴槽部１４との接合に油圧シリンダ４６が用いられているが、これに代えて、例えば一般の水道水の水圧によって作動する液圧シリンダを用いることもできる。
【００５０】
【発明の効果】
以上の説明で明らかなように、本発明に係る身体障害者用入浴装置によれば、入浴者が可動浴槽部内に完全に収容されるため、入浴者が不意に体を動かしたような場合でも体を挟むことが完全に防止でき、かつ入浴者に、体がぶつかるといった不安感を与える恐れがない。
【００５１】
また、シートに着座した入浴者が可動浴槽部によって覆われるため、移動中の入浴者に羞恥心を与えることもなくなる。
【００５２】
さらに、可動浴槽部を固定部から後退させるだけで可動浴槽部を方向転換させることが可能となり、狭い浴室内での作業も容易となる。
【図面の簡単な説明】
【図１】本発明に係る身体障害者用入浴装置の一実施例を示す側面図。
【図２】図１の身体障害者用入浴装置の一部破断図。
【図３】図１の固定部単体の上面図。
【図４】図１の可動浴槽部単体の断面図。
【図５】従来の入浴装置を分離状態で示す斜視図。
【図６】従来の入浴装置の結合状態での平面図。
【符号の説明】
Ｍ…入浴者
１０…固定部
１２…シート部
１４…可動浴槽部
１６…開口部
１８…車輪
２０…浴槽
２２…前部側壁
２４…背部側壁
２６…側部側壁
２８…底部
３０…接合面
３２…ガイド壁
６４…排水口
６６…筒部材
【図１】
0003678501.tif 000002
【図２】
0003678501.tif 000003
【図３】
0003678501.tif 000004
【図４】
0003678501.tif 000005
【図５】
0003678501.tif 000006
【図６】
0003678501.tif 000007